(57)【特許請求の範囲】
【請求項１】
Ａ.少なくとも２つの液体処理エレメントを収容するフィルタカートリッジであって、各液体処理エレメントは、軸方向に延びる貫通孔を有する概ね円筒体であり、この液体処理エレメントの外表面とフィルタカートリッジの内表面との間に液体リザーバが形成されるようになっているフィルタカートリッジと、
Ｂ．(i)前記液体処理エレメントの貫通孔および液体リザーバの一方へ、処理すべき液体を供給する手段、ならびに(ii)前記液体処理エレメントの貫通孔および液体リザーバの他の一方から、処理された液体を吐出する手段を具備し、前記フィルタカートリッジを取外し可能に固定しうるベース部材であって、前記フィルタカートリッジを取外し可能に固定する手段として、フィルタカートリッジに設けられたキー部材と係合しうるスプリングクリップを有するベース部材とを備え、
Ｃ．前記ベース部材およびフィルタカートリッジの一方は、内部に第１および第２のソケットを区画し、前記ベース部材およびフィルタカートリッジの他の一方は、貫通路を有する第１および第２のスタッドを支持し、これら２つのスタッドは、前記両ソケットにそれぞれ挿入されることにより、液体供給チャンネルおよび液体吐出チャンネルを形成するようになっている液体処理装置。
【請求項２】
前記第１および第２のソケットは、前記ベース部材によって区画され、前記第１および第２のスタッドは、前記カートリッジによって支持されていることを特徴とする請求項１記載の液体処理装置。
【請求項３】
前記液体処理エレメントは多孔質の円筒体であり、液体は、液体処理エレメントの貫通孔と液体処理エレメントの外部との間を、液体処理エレメントを透過して、概ね放射状に流れるようになっていることを特徴とする請求項１記載の液体処理装置。
【請求項４】
液体は、前記液体処理エレメントの外部から、液体処理エレメントを透過して、液体処理エレメントの貫通孔へ向かって流れるようになっていることを特徴とする請求項３記載の液体処理装置。
【請求項５】
前記キー部材は爪を有し、前記スプリングクリップは、前記爪と係合しうるラッチを有することを特徴とする請求項４記載の液体処理装置。
【請求項６】
前記フィルタカートリッジを取外し可能に固定する手段は、前記ラッチと爪との係合を解除する手段を含むことを特徴とする請求項５記載の液体処理装置。
【請求項７】
前記ラッチと爪との係合を解除する手段は、前記ラッチを前記爪から引離すように回転しうるカム手段と、前記ベース部材に取り付けられて、前記カム手段を回転させうるレバーとを含むことを特徴とする請求項６記載の液体処理装置。
【請求項８】
内部に第１および第２のソケットを区画しているベース部材と、
外部の給水源から、前記第１および第２のソケットの一方へ給水する手段と、
前記第１および第２ソケットの他の一方から、外部の利水先へ吐水する手段と、
断面が概ね方形のプラスチック製ハウジングを有するフィルタカートリッジであって、前記ハウジングは、このハウジングとの間に第１の空間を区画するようになっている、概ね円筒形で多孔質の複数のフィルタエレメントを収容しており、これらのフィルタエレメントは、軸方向に延びる貫通孔を有し、これらの貫通孔の組合せは、第２の空間を構成するようになっているフィルタカートリッジと、
前記ハウジングを閉鎖し、かつ第１および第２のスタッドを支持するベースプレートカートリッジであって、前記第１および第２のスタッドは、前記第１および第２のソケットにそれぞれ挿入されて、前記給水手段および吐水手段と通ずる水路を形成しうるようになっているベースプレートカートリッジと、
前記ベースプレートカートリッジ内に形成された、前記第１のスタッドによる水路と前記第１の空間とを連絡する第１の流水路と、
前記ベースプレートカートリッジ内に形成された、前記第２のスタッドによる水路と前記第２の空間とを連絡する第２の流水路とを備え、
前記フィルタカートリッジを取外し可能に固定する手段として、フィルタカートリッジにキー部材が設けられ、前記ベース部材に、このキー部材と係合しうるスプリングクリップが設けられているとともに、前記キー部材を前記スプリングクリップから取外しうるようにする手段をさらに備えている水濾過装置。
【請求項９】
前記キー部材は爪を有し、前記スプリングクリップは、前記爪と係合しうるようになっていることを特徴とする講求項８記載の水濾過装置。
【請求項１０】
前記スプリングクリップは、前記爪と係合しうるフックと、このフックを爪と係合しうるように付勢する手段とを含むことを特徴とする講求項９記載の水濾過装置。
【請求項１１】
前記キー部材をスプリングクリップから取外しうるようにする手段は、前記フックを爪と係合しうるように付勢する手段を変位させて前記爪との係合が解除されるように回転しうるカム手段と、このカム手段を手動で回転しうるようにする手段とを含むことを特徴とする請求項１０記載の水濾過装置。
【請求項１２】
前記フックを爪と係合しうるように付勢する手段は、１対の板ばねであり、フックは、前記１対の板ばねの縁部によって形成されていることを特徴とする請求項１１記載の水濾過装置。
【請求項１３】
前記１対の板ばねは、概ねＵ字形のばねの相対向する１対の脚からなり、かつ前記フックは、前記相対向する１対の脚の縁部によって形成されていることを特徴とする請求項１２記載の水濾過装置。
【請求項１４】
前記キー部材の爪は、前記相対向する２つのフックと係合しうるよう、１対設けられていることを特徴とする請求項１３記載の水濾過装置。
【請求項１５】
前記カム手段は、前記Ｕ字形のばねの１対の脚の間を延びるシャフトを含み、前記カム回転手段は、前記ベース部材の外部において前記シャフトに取り付けられているレバーであることを特徴とする請求項１４記載の水濾過装置。
【請求項１６】
前記フィルタエレメントは活性炭を含んでいることを特徴とする請求項８記載の水濾過装置。
【請求項１７】
前記複数のフィルタエレメントは概ね直線状に配置されていることを特徴とする請求項１６記載の水濾過装置。
【請求項１８】
前記フィルタエレメントの外径は、概ね４.４５cm（１.７５インチ）を超えないようになっていることを特徴とする請求項１７記載の水濾過装置。
【請求項１９】
前記フィルタエレメントは活性炭を含んでいることを特徴とする請求項１５記載の水濾過装置。
【請求項２０】
前記複数のフィルタエレメントは概ね直線状に配置されていることを特徴とする請求項１９記載の水濾過装置。
【請求項２１】
前記フィルタエレメントの外径は、概ね４.４５cm（１．７５インチ）を超えないようになっていることを特徴とする請求項２０記載の水濾過装置。
【請求項２２】
内部に第１および第２のソケットを区画しているベース部材と、
外部の給水源から、前記第１および第２のソケットの一方へ給水する手段と、
前記第１および第２ソケットの他の一方から、外部の利水先へ吐水する手段と、
断面が概ね方形のプラスチック製ハウジングを有するフィルタカートリッジであって、前記ハウジングは、このハウジングとの間に第１の空間を区画するようになっている、概ね円筒形で多孔質の複数のフィルタエレメントを収容しており、これらのフィルタエレメントは、軸方向に延びる貫通孔を有し、これらの貫通孔の組合せは、第２の空間を構成するようになっているフィルタカートリッジと、
前記ハウジングを閉鎖し、かつ第１および第２のスタッドを支持するベースプレートカートリッジであって、前記第１および第２のスタッドは、前記第１および第２のソケットにそれぞれ挿入されて、前記給水手段および吐水手段と通ずる水路を形成しうるようになっているベースプレートカートリッジと、
前記ベースプレートカートリッジ内に形成された、前記第１のスタッドによる水路と前記第１の空間とを連絡する第１の流水路と、
前記ベースプレートカートリッジ内に形成された、前記第２のスタッドによる水路と前記第２の空間とを連絡する第２の流水路と、
前記ベースプレートカートリッジに取り付けられ、かつ１対の爪を有するキー部材と、
前記ベース部材に取り付けられ、かつ概ねＵ字形のばねの相対向する１対の脚からなる１対の板ばねであって、前記キー部材の爪と係合しうるフックが縁部に形成されている板ばねとを備える水濾過装置。
【請求項２３】
前記爪と前記フックとの係合を解除しうるカム手段と、このカム手段を手動で回転しうるようにする手段とをさらに備え、前記カム手段は、前記Ｕ字形のばねの１対の脚の間を延びるシャフトを含み、前記カム回転手段は、前記ベース部材の外部において前記シャフトに取り付けられているレバーであることを特徴とする請求項２２記載の水濾過装置。
【請求項２４】
前記フィルタエレメントは活性炭を含んでいることを特徴とする請求項２３記載の水濾過装置。
【請求項２５】
前記複数のフィルタエレメントは概ね直線状に配置されていることを特徴とする請求項２４記載の水濾過装置。
【請求項２６】
前記フィルタエレメントの外径は、概ね４.４５cm（１.７５インチ）を超えないようになっていることを特徴とする請求項２５記載の水濾過装置。
【請求項２７】
液体濾過手段を具備するカートリッジと、
前記カートリッジが取付けられるベース部材であって、液体をカートリッジへ送り込む手段と、カートリッジから濾過された液体を送り出す手段とを具備するベース部材と、
爪を有するキー部材および前記爪と係合しうるラッチを有するスプリングクリップを含む、前記カートリッジを前記ベース部材に係止させる係止手段であって、前記爪と前記ラッチとの係合を解除する手段として、さらに、前記ベース部材に設けられた、前記ラッチを前記爪から引き離すように回転しうるカム部材、およびこのカム部材と連結され、かつカム部材を回転させうるレバーとを含む係止手段とを備える液体処理装置。
【請求項２８】
前記液体濾過手段は、軸方向に貫通孔を有する多孔質円筒体からなる少なくとも１つの液体処理エレメントを含むことを特徴とする請求項２７記載の液体処理装置。
【請求項２９】
前記少なくとも１つの液体処理エレメントは、概ね直線状に配置されている２つの液体処理エレメントであることを特徴とする請求項２８記載の液体処理装置。
【請求項３０】
前記液体処理エレメントは、活性炭を含んでいることを特徴とする請求項２８記載の液体処理装置。
【請求項３１】
前記液体をカートリッジへ送り込む手段は、少なくとも１つのソケットと、このソケットに挿入しうる少なくとも１つのスタッドとを含み、このスタッドは、液体を前記ベース部材からカートリッジへ送り込む水路を形成しうる貫通路を有することを特徴とする請求項２７記載の液体処理装置。
【請求項３２】
前記ソケットは、前記ベース部材に区画され、前記スタッドは、前記カートリッジに設けられていることを特徴とする請求項３１記載の液体処理装置。
【請求項３３】
前記カートリッジから濾過された液体を受け取る手段は、少なくとも１つのソケットと、このソケットに挿入しうる少なくとも１つのスタッドとを含み、このスタッドは、液体をカートリッジから前記ベース部材へ送り出す水路を形成しうる貫通路を有することを特徴とする請求項２７記載の液体処理装置。
【請求項３４】
前記ソケットは、前記ベース部材に区画され、前記スタッドは、前記カートリッジに設けられていることを特徴とする請求項３３記載の液体処理装置。
【請求項３５】
前記スプリングクリップは、前記ベース部材に取付けられ、前記キー部材は、前記カートリッジに設けられていることを特徴とする請求項２７記載の液体処理装置。
【請求項３６】
前記スプリングクリップは、Ｕ字形のばねであり、前記カム部材は、前記Ｕ字形のばねの２本の脚の間を延びる断面楕円形のシャフトであることを特徴とする請求項２７記載の液体処理装置。
【請求項３７】
Ａ.爪を有するキー部材を具備し、かつ少なくとも２つの液体処理エレメントを収容するカートリッジであって、各液体処理エレメントは、軸方向に延びる貫通孔を有する多孔質の概ね円筒体であり、この液体処理エレメントの外表面とカートリッジの内表面との間に液体リザーバが形成されるようになっているカートリッジと、
Ｂ．前記カートリッジが取外し可能に取付けられるベース部材であって、
i．前記液体処理エレメントの貫通孔および液体リザーバの一方へ、液体処理エレメントを径方向に透過する被処理液体を供給する手段、
ii.前記液体処理エレメントの貫通孔および液体リザーバの他の一方から、処理された液体を吐出する手段、ならびに
iii.前記キー部材の爪と係合しうるラッチを有するスプリングクリップを具備するベース部材とを備え、
Ｃ．前記ベース部材およびカートリッジの一方は、内部に第１および第２のソケットを区画し、前記ベース部材およびカートリッジの他の一方は、貫通路を有する第１および第２のスタッドを支持し、これらのスタッドは、前記両ソケットに挿入されることにより、液体供給チャンネルおよび液体吐出チャンネルを形成するようになっている液体処理装置。
【請求項３８】
前記ベース部材は、前記爪とラッチとの係合を解除する手段を具備することを特徴とする請求項３７記載の液体処理装置。
【請求項３９】
前記爪とラッチとの係合を解除する手段は、前記ラッチを前記爪から引き離すように回転しうるカム部材と、このカム部材と連結され、かつカム部材を回転させうるレバーとを含んでいることを特徴とする請求項３８記載の液体処理装置。
【発明の詳細な説明】
【０００１】
【発明の属する技術分野】
本発明は、水を処理するための装置に関し、より詳細には、使い捨て式カートリッジと、このカートリッジのためのベースとから成る水濾過装置に関する。
【０００２】
【従来の技術】
フィルタのような使い捨て式水処理エレメントを使用することは周知である。かかるフィルタの１つとして、中心部が中空状の固体の多孔質の円筒状をしたものがある。
かかるエレメントを使用する際に、円筒体の外側とその中空コアとの間にある円筒形の壁を通過するように、処理すなわち濾過するべき水または他の液体が、放射状に流れる。
このようなエレメントの例としては、公知のセラミックフィルタ、およびコスロー（Ｋｏｓｌｏｗ）氏に付与された米国特許第5,189,092号、同第5,249,948号、および同第5,331,037号明細書に開示された方法および装置によって製造された、押し出し成形された固体の活性炭素フィルタがある。また、１９９６年２月２６日にコスロー（Ｋｏｓｌｏｗ）氏他により出願された継続中の米国特許出願第08/607294号明細書も参照されたい。
【０００３】
【発明が解決しようとする課題】
比較的長寿命で、壁の薄いフィルタエレメントを使用すると、濾過を最も効率よく行うことができることは周知である。例えば、細長くて、薄い円筒体を使用すると、活性成分から成る、同じ容積の短くかつ厚い円筒体よりも、常に圧力低下が少なくなる。
これは、流れの面積が広いこと、および流体が通過して流れる媒体の厚さが薄いことの双方の理由によるものである。しかし、台所または浴室の流しで使用されるような家庭用水濾過ユニットにおいてエレメントを使用すると、問題が生じる。所望の流れ空間を得るためには、長くて、かつ見栄えの悪いフィルタエレメントを使用しなければならない。第２の問題としては、従来の家庭用フィルタハウジング内のフィルタエレメントを交換することは、きたない仕事であり、また大径の圧力容器は、大きなネジおよび圧縮ガスケットを備えているので、工具を必要とし、開けるのが極めて困難であることが挙げられる。
極めて長いフィルタエレメントを使用すると、空間および便宜上の、全く新しい問題も生じる。
従って、本発明の主な目的は、改善された液体処理装置、特に、壁厚の薄い中空の円筒形フィルタエレメントの望ましい特性を有し、かつコンパクトな構造の濾過装置を提供することにある。
本発明の別の目的は、汚れおよび水のはね返りが最小の状態で、フィルタエレメントを容易に交換し廃棄できる、かかる装置を提供することにある。
更に別の目的は、従来の通常の丸い構造よりもより容易に取り扱うことができ、かつ保管できる、比較的平らとなるように、フィルタエレメントが配置された、かかる装置を提供することにある。
次の説明および特許請求の範囲から、上記以外の目的、特徴および利点が明らかとなると思う。
【０００４】
【課題を解決するための手段】
本発明によれば、平らにかつ並列に作動する、２つ以上の短い円筒形部分として望ましい、長くて肉薄の固体多孔質中空円筒体が構成される。このようにすることにより、コンパクトな形態で、効率および水の空間が維持される。使い捨て式カートリッジ内に、フィルタエレメントが収容されており、カートリッジをベース部材にプラグインしたり、このカートリッジをベース部材から容易に取り外しできるようになっている。
【０００５】
【発明の実施の形態】
本発明は、ベース部材と、このベース部材に挿入可能なフィルタカートリッジとを備えている。カートリッジは、図１〜図７に示されており、ベース部材は、図８〜図１０に示されている。ベース部材１２内に取り付けられたカートリッジ１０を示す図１２も参照する。
【０００６】
カートリッジ
カートリッジ１０は、断面がほぼ長方形の主ハウジングを備え、この主ハウジングは正面壁１４と、背面壁１６と、左側側壁１８と、右側側壁２０と、頂部壁２２（図１２）とを備えている。
正面壁１４と裏面壁１６との間において、頂部壁２２から下方に補強ウェブ２４が延びている。この補強ウェブ２４は、ラインの水圧がフル圧力状態の際にハウジングが変形するのを防止する重要な役割を果たす。これにより、従来の円筒形ハウジングとは異なり、ハウジングを比較的平らにすることが可能となっている。
ハウジングの底部は、カートリッジベース２６によって閉じられている。このカートリッジベース２６は、ベースプレート２８をなしており、このベースプレートから、中空の水入口スタッド３０および同様な水出口スタッド３２が延びている。スタッド３０、３２は、軸方向の孔３４、３６を有する。これらスタッドの外周面には、ゴム製のＯリング３８を係止するための周方向の溝がある。
【０００７】
図５は、ベースプレート２８の頂部表面を示している。このベースプレート２８の頂部表面には、ほぼ長方形の盛り上がったせき４０があり、せき４０は、水出口スタッド３２を貫通する孔３６を囲んでいる。しかし、１つのコーナーにはオフセット部４２が設けられ、このオフセット部により、水入口スタッド３２の孔３４は、せきの外側に残されている。
カートリッジベースプレート２８の頂部表面の中心には、キー４４も設けられている。このキー４４は、図２に示すように、断面がほぼ矢印状をしており、矢印の突起が、１対の離間した戻り止めを形成している。キー４４の両側には、半円筒形をしたソケット４６が設けられている。このソケットの機能については、後で説明する。
【０００８】
せき４４の頂部には、図６および図７に最も明瞭に示すフィルタ支持プレート５０が取り付けられている。このフィルタ支持プレート５０は、ほぼ長方形をしており、図２に示すように、カートリッジ１０のハウジング壁内に遊嵌されるようになっている。
フィルタ支持プレート５０の底部表面から、整合リング５２が吊り下がっている。この整合リング５２は、せき４０と基本的には同じ構造であり、せき内に嵌合するような大きさとなっている。
フィルタ支持プレート５０の頂部表面から上方に、１対の円形ソケット５４、５６が延びている。ソケット５４内の中心には、切頭円錐形をした整合スタッド５８が位置し、このスタッドは、貫通する中心通路６０を有する。ソケット５６内の同様な整合スタッド６２は、同じような通路６４を構成している。
ソケット５４内には、固体の多孔質の中空円筒形フィルタエレメント６６が設けられている。このフィルタエレメント６６は、エレメントの長手方向軸線に沿って延びる中心孔６８を含み、エレメントの上端部は、適当なキャップディスク７０によって、流れを通さないようになっている。
同様に、ソケット５６内には、同じようなフィルタエレメント７２が取り付けられており、このフィルタエレメント７２も、軸方向孔７４およびキャップディスク７６を有する。少なくとも１つの実施例では、各フィルタエレメントの外径は、比較的小さい寸法の平らな配置を確実にするよう、約４．４５ｃｍ（約１.７５インチ）を超えないことが好ましい。
【０００９】
図示した円筒形フィルタエレメントは、別個のユニットとなっている。しかし、このエレメントを、例えば１つのウェブによって２つの円筒体が互いに接続されたものとして、押し出し成形することが可能である。
特許請求の範囲で使用した「少なくとも２つの」および「複数の」なる用語は、かかる接続されたエレメントを含むものと解釈するべきである。
【００１０】
ベース
図８〜図１２には、ベース部材１２が示されている。このベース部材は、正面壁７８と、背面壁８０と、左側端部壁８２と、右側端部壁８４とを含む、ほぼ長方形のフレーム状となっている。４つの壁の間には、凹状をしたフロア８６が延びている。正面壁７８と背面壁８０との間には、内側横断壁８８が延びており、この壁の中心には、円形ソケット９０が設けられている。
ソケット９０のベースには、水出口通路９２が設けられている。この水出口通路９２は、フロア８６から吊り下がったホース取り付け部材９４を下方に貫通している。
図８に示すように、ベース部材１２の下方右側コーナーには、同様のソケット９６が設けられている。このソケットも、同様の水入口通路９８を含み、この通路も、同様のホース取り付け部材１００を貫通し、この取り付け部材１００も、フロア８６から吊り下がっている。フロア８６に対する支持力は、フロア８６から下方に延びる吊り下がり移行支持壁１０２により増している。
【００１１】
ベース部材１２の中心には、ほぼ立方体状をした１対の整合スタッド１０４、１０６が設けられている。これらのスタッドは、フロア８６から上方に延びている。フロア８６内の１対の平行スロット（図示せず）が、Ｕ字形をしたスプリングクリップ１０８の脚を受けている。スプリングクリップ脚の上方エッジは、ラッチとなるフック１１０を形成するように下方に曲げられている。
スタッド１０４、１０６には、スプリングクリップ１０８の脚が隣接し、整合スタッド１０４、１０６内に延びるネジまたはピン１１２によって、スプリングクリップが固定されている。
【００１２】
スプリングクリップ１０８の両側において、フロア８６から上方に、円筒形ポスト１１４、１１６が延びている。各ポストを螺旋圧縮スプリング１１８が囲んでおり、右側端部壁８４をシャフトが貫通し、このシャフトは、横断壁８８内で終わっている。このシャフトは、断面が楕円形であり、図１０に示すように、スプリングクリップ１０８の脚内に位置する中心部分１２０を含んでいる。シャフトの端部には、このシャフトを手動で回転するための外部レバー１２２が取り付けられている。
【００１３】
作用
本発明の装置は、２つの別個の異なるユニットを含む。カウンタートップのような平らな支持表面に、ベース部材１２が取り付けられるか、またはこの表面に当接している。
図１２に示すように、ホース取り付け部材１００には、水入口ホース１２４を接続することができ、ホース取り付け部材９４には、水送りホース１２６を接続できる。
ソケット９０、９６内にスタッド３０、３２を挿入することにより、ベース部材に別個のカートリッジ部材６を接続できる。これらスタッドを挿入する際に、カートリッジ１０から吊り下がっている半円筒形ソケット４６、４８が、ポスト１１４、１１６に支持されている螺旋スプリング１１８に係合し、このスプリングを押圧する。
このスプリングが押圧されると、キー４４がスプリングクリップ１０８の脚内に進入し、キー４４の矢印形状の断面によって形成された戻り止め突起の上部表面にフック１１０が係合するまで、脚を離間するように押し、フック１１１０が戻り止め突起の上部表面に係合することにより、図１２に示すように、カートリッジをベース部材上の所定位置にロックする。同じスプリングを使って、ベース部材からのカートリッジ部材１０の取り外しを補助することができる。
【００１４】
水の流れが点線および矢印によって示されている図１２を参照することにより、このユニットの動作が良く理解できると思う。
図１２に示されているように、ベース部材内に水が流入し、ソケット９６および水入口スタッド３０を通って、せき４０を囲む空間内に流入する。次に水は、フィルタ支持プレート５０（図６）のミッシングコーナーを通って上方へ流れ、ハウジングを満たし、フィルタエレメント６６、７２を囲む第１空間を形成する。  補強ウェブ２４は、カートリッジハウジングの長手方向部分の一部に沿ってしか延びておらず、水の流れを妨害するものではない。水は、フィルタエレメントの壁を放射状に通過し、孔６８、７４内に流れ込み、フィルタ支持プレート５０内の通路６０、６４を下方に通過し、せき４０によって囲まれた領域内に流れ込む。孔６８、７４の総空間は、第２の空間を形成している。
次に水は、水出口スタッド３２およびホース取り付け部材９４を通過し、水出口ホース１２６を通って排出される。２つのフィルタエレメントは、水を同時に受け入れる。これらのエレメントは、単一の長いフィルタエレメントと同じように作動するが、より小さいユニットとしての機械的な利点を有する。
単一エレメントは、後に平行に作動する部分を備えた多数の部分にカットされる可能性がある。このことは、上記固体の活性炭フィルタの場合に特に有利である。長くなく、かつ薄くないこれらのフィルタは、ΔＰが大きいことを特徴とする。
【００１５】
カートリッジを新品に換えたい場合、レバー１２２を９０度だけ回転すればよい。これにより、シャフトの楕円部分１２０が回転し、フック１１０は、図１１に示すように離間される。これにより、カートリッジ上のキー４４は解放され、取り外しでき、新しいカートリッジを挿入できる。
【００１６】
当業者には、本発明の多数の利点が明らかであると思う。
また、本発明の要旨および範囲から逸脱することなく、多数の変形および変更が可能であることも明らかである。従って、これまでの説明は、限定的なものと解するべきでなく、単なる説明のためのものと解するべきである。本発明の範囲は、特許請求の範囲のみに基づいて解釈されるべきである。
【図面の簡単な説明】
【図１】本発明のフィルタカートリッジの側面図である。
【図２】図１のカートリッジの右側面図である。
【図３】図１のカートリッジの底面図である。
【図４】図１の４−４線にほぼ沿った横断面図である。
【図５】図１の５−５線にほぼ沿った横断面図である。
【図６】図１〜図３のカートリッジ内に支持されたフィルタ支持プレートの平面図である。
【図７】図６の７ー７線にほぼ沿った部分縦断面図である。
【図８】本発明のベース部分の平面図である。
【図９】図８の９−９線にほぼ沿った縦断面図である。
【図１０】図９の１０−１０線にほぼ沿った縦断面図である。
【図１１】本発明のラッチ解放機構を示す、図１０の拡大部分図である。
【図１２】ベース部材に接続されたフィルタカートリッジ、およびベース部材を通過する水の流れを示す側断面図である。
【符号の説明】
１０    カートリッジ
１２    ベース部材
１４    正面壁
１６    背面壁
１８    左側
２０    右側壁
２２    頂部壁
２４    補強ウェブ
２６    カートリッジベース
２８    ベースプレート
３０    水入口スタッド
３２    水出口スタッド
３４、３６    軸方向孔
３８    Ｏリング
４０    せき
４２    オフセット部
４４    キー
４６、４８    ソケット
５０    フィルタ支持プレート
５２    整合リング
５４、５６    ソケット
６０    中心通路
６２    整合スタッド
６４    通路
６６    フィルタエレメント
６８    中心孔
７０    キャップディスク
７２    フィルタエレメント
７４    軸方向孔
７６    キャップディスク
７８    正面壁
８０    背面壁
８２    左端部壁
８４    右端部壁
８６    フロア
８８    横断壁
９０    ソケット
９２    水出口通路
９４    ホース取り付け部材
９６    ソケット
９８    入口通路
１００    ホース取り付け部材
１０２    移行支持壁
１０４、１０６    整合スタッド
１０８    スプリングリング
１１０    フック
１１２    ネジまたはピン
１１４、１１６    ポスト
１１８    スプリング
１２０    中心部分
【図１】
0004031845.tif 000002
【図２】
0004031845.tif 000003
【図３】
0004031845.tif 000004
【図４】
0004031845.tif 000005
【図５】
0004031845.tif 000006
【図６】
0004031845.tif 000007
【図７】
0004031845.tif 000008
【図８】
0004031845.tif 000009
【図９】
0004031845.tif 000010
【図１０】
0004031845.tif 000011
【図１１】
0004031845.tif 000012
【図１２】
0004031845.tif 000013